(57)【要約】  【課題】  異なるグループに登録された複数の機器を所定名称毎に一括及び個別に監視及び制御し機器の管理及び操作性の向上を図る。  【解決手段】  機器登録手段２と、グループ登録手段３と、エリア名登録手段４と、第１表示手段５と、第２表示手段６と、入力手段７と、機器制御手段８とを備え、第２表示手段６を選択することで、異なるグループに登録された複数の機器において所定名称毎に機器制御手段８を介して一括及び個別に監視及び制御でき、機器の管理及び操作性の向上ができる。【選択図】  図１
2005063263.tif 000002
【特許請求の範囲】
【請求項１】
複数の機器の登録を行う機器登録手段と、前記機器登録手段で登録された複数の機器を一括監視および一括制御するためにグループ化するグループ登録手段と、前記グループ登録手段で登録されたグループとは別にエリア名称を付し、この名称毎に複数の機器を登録するエリア名登録手段と、前記グループ登録手段で登録された複数の機器を表示する第１表示手段と、前記エリア名登録手段で登録された複数の機器を表示する第２表示手段と、数値及び文字を入力する入力手段と、前記第１表示手段および前記第２表示手段から複数の機器への動作指令を動作対象機器に指令する機器制御手段とを備え、前記第２表示手段を選択した場合、異なるグループに登録された複数の機器においてエリア名称毎に一括及び個別に監視及び制御できることを特徴とする遠隔制御装置。
【請求項２】
第２表示手段は表示画面内にメモ入力手段をもちメモ入力手段が選択されるとエリア名登録手段で登録されたエリア名称が自動的に前記メモ入力手段のタイトルに設定されることを特徴とする、請求項１記載の遠隔制御装置。
【請求項３】
メモ入力手段は複数の予め用意された項目を選択できる内容表示手段をもつことを特徴とする、請求項２記載の遠隔制御装置。
【請求項４】
メモ入力手段で入力されたデータを保存する際にエリア名登録手段で登録されたエリア名称が自動的にファイル名に設定されるデータ保存手段をもつことを特徴とする、請求項２に記載の遠隔制御装置。
【請求項５】
データ保存手段は、データ保存許可手段及びキャンセル手段をもち、データ保存許可設定手段が選択されると、前回保存されたデータの下段に追加保存し、キャンセル設定手段が選択されるとデータを保存せず前記メモ入力手段を未表示にすることを特徴とする、請求項４記載の遠隔制御装置。
【発明の詳細な説明】
【技術分野】
【０００１】
本発明は機器の遠隔制御装置に関するものである。
【背景技術】
【０００２】
従来、この種の遠隔制御装置では、例えば図６に記載された遠隔制御装置があった。
【０００３】
同図に示すように、表示選択ブロックパネル１０１と、表示制御手段１０２と、グループ登録手段１０３と、入力制御部１０４と、操作ブロックパネル１０５とから構成されており、入力制御部１０４で登録された複数の機器がグループ登録手段１０３でグループ化され操作ブロックパネル１０５で動作条件が設定され機器Ａ〜ｎを動作させる（例えば、特許文献１参照）。
【特許文献１】特開平９−２５９３８０号公報
【発明の開示】
【発明が解決しようとする課題】
【０００４】
しかしながら、前記従来の構成では、機器をグループ化し一括監視及び一括制御はできるがグループ化された機器を別のグループに登録することができず、監視及び制御対象のエリア内に異なるグループの機器が設置された場合、エリア単位での機器の一括監視及び一括制御ができないという課題を有していた。
【０００５】
本発明は、前記従来の課題を解決するもので、異なるグループにグループ化された複数の機器を所定名称単位で一括監視及び一括制御を行い機器の管理及び操作性の向上ができる遠隔制御装置を提供することを目的とする。
【課題を解決するための手段】
【０００６】
前記従来の課題を解決するために、本発明の遠隔制御装置は、異なるグループに登録された複数の機器を同一画面で一括監視及び一括制御できる第２表示手段を設けたものである。
【０００７】
これによって異なるグループに登録された複数の機器を所定名称毎に一括及び個別に監視及び制御できるものである。
【発明の効果】
【０００８】
以上のように、本発明の遠隔制御装置は、複数の機器の登録を行う機器登録手段と、機器登録手段で登録された複数の機器を一括監視および一括制御するためにグループ化するグループ登録手段と、グループ登録手段で登録されたグループとは別に所定名称毎に複数の機器を登録するエリア名登録手段と、グループ登録手段で登録された複数の機器を表示する第１表示手段と、エリア名登録手段で登録された複数の機器を表示する第２表示手段と、数値及び文字を入力する入力手段とを備えたもので、この構成をなすことにより、異なるグループに登録された複数の機器において所定名称毎に機器制御手段を介して一括及び個別に監視及び制御でき、機器の管理及び操作性の向上ができる。
【０００９】
また、本発明は、第２表示手段の表示画面内にメモ入力手段を設けメモ入力手段が選択されるとエリア名登録手段で登録された所定名称が自動的にメモ入力手段のタイトルに設定されるようにしたもので、この構成を成すことにより、操作項目が簡素化され操作性の向上と操作入力時間の短縮ができる。
【００１０】
また、本発明は、第２の発明のメモ入力手段において複数の予め用意された項目を選択できる内容表示手段を設けたもので、この構成を成すことにより、操作性の向上と項目の統一ができる。
【００１１】
また、本発明は、第２の発明のメモ入力手段において、入力されたデータを保存する際にエリア名登録手段で登録された所定名称が自動的にファイル名に設定されるデータ保存手段を設けたもので、この構成を成すことにより、データ保存時のファイル名の設定が省け作業効率の向上ができる。
【００１２】
また、本発明は、第４の発明のデータ保存手段において、データ保存許可手段及びキャンセル手段をもちデータ保存許可設定手段が選択されると、前回保存されたデータの下段に追加保存し、キャンセル設定手段が選択されるとデータを保存せず前記メモ入力手段を未表示にするもので、この構成をなすことによりデータ追加時にファイルの数を増やさなくて済み、データ保存エリアの節約とファイル管理の効率向上ができる。
【発明を実施するための最良の形態】
【００１３】
以下、本発明の実施の形態について、図面を参照しながら説明する。
【００１４】
（実施の形態１）
図１は、本発明の第１の実施の形態における遠隔制御装置のブロック図を示すものである。図１において遠隔制御装置１は、機器登録手段２と、グループ登録手段３と、エリア名登録手段４と、第１表示手段５と、第２表示手段６と、入力手段７と、機器制御手段８から構成されている。
【００１５】
以上のように構成された遠隔制御装置１について、以下その動作、作用を説明する。
【００１６】
まず、機器登録手段２は機器登録用表示部をもち入力手段７から入力された複数の機器情報（Ｕ１、Ｕ２・・・ｎ台）を表示および保管する。グループ登録手段３はグループ登録用表示部をもち入力手段７から入力されたグループ登録情報（Ｇ１、Ｇ２・・・ｎグループ）を表示及び保管する（例：Ｇ１へＵ１・Ｕ２を登録、Ｇ２へＵ３・Ｕ４を登録）。
【００１７】
エリア名登録手段４は所定名称登録用表示部をもち入力手段７から入力された所定名称登録情報（Ａ１、Ａ２・・・ｎ台）を表示および保管する（例：Ａ１へＵ１・Ｕ３を登録、Ａ２へＵ１・Ｕ４を登録）。第１表示手段５はグループ登録手段に登録された複数の機器を監視及び制御を行う。第２表示手段６はエリア名登録手段に登録された複数の機器を監視及び制御を行う。
【００１８】
以上のように、本実施の形態においては第２表示手段６を選択することで、異なるグループに登録された複数の機器において所定名称毎（例：居室Ａ１を表示することでグループＧ１に登録されている機器Ｕ１を操作でき、グループＧ２に登録されている機器Ｕ３を操作できる）に機器制御手段を介して一括及び個別に監視及び制御でき、機器の管理及び操作性の向上ができる。
【００１９】
（実施の形態２）
図２は、本発明の第２の実施の形態の遠隔制御装置のブロック図である。同図において、図１と同じ構成要素については同じ符号を用い説明を省略する。メモ入力手段９は、前記第２表示手段６内に構成されるている。
【００２０】
以上のように構成された遠隔制御装置１について、以下その動作、作用を説明する。
第２表示手段６を表示しメモ入力手段９を選択するとエリア名登録手段４で登録された所定名称（例：居室１）が自動的にメモ入力手段９のタイトルに設定される（例：メモタイトル＝居室１）。
【００２１】
以上のように、本実施の形態においては、メモ入力手段９を選択するだけでエリア名登録手段４で登録された所定名称が自動的にメモ入力手段９のタイトルに設定されるため、
操作項目が簡素化され操作性の向上と操作入力時間の短縮ができる。
【００２２】
（実施の形態３）
図３は、本発明の第３の実施の形態の遠隔制御装置のブロック図である。同図において、図１と同じ構成要素については同じ符号を用い説明を省略する。内容表示手段１０は、前記メモ入力手段９内に構成されている。
【００２３】
以上のように構成された遠隔制御装置１について、以下その動作、作用を説明する。
【００２４】
第２表示手段６を表示しメモ入力手段９を選択すると複数の予め用意された項目を選択できる（例：定期巡回、臨時巡回、チェック１、チェック２など）。このように予め用意されたメモ内容を入力できるので操作性の向上と項目の統一ができる。
【００２５】
（実施の形態４）
図４は、本発明の第４の実施の形態の遠隔制御装置のブロック図である。同図において、図１と同じ構成要素については同じ符号を用い説明を省略する。データ保存手段１１は、前記メモ入力手段９内に構成されるている。
【００２６】
以上のように構成された遠隔制御装置１について、以下その動作、作用を説明する。
【００２７】
前記メモ入力手段９において、入力されたデータを保存する際にエリア名登録手段４で登録された所定名称（例：居室１）が自動的にファイル名（例：居室１.CSV、居室１.txt）に設定され拡張子は選択できる。このようにデータファイルの保存時に自動的にファイル名が設定されるためデータ保存時のファイル名の設定が省け作業効率の向上ができる。
【００２８】
（実施の形態５）
図５は、本発明の第５の実施の形態の遠隔制御装置のブロック図である。同図において、図１と同じ構成要素については同じ符号を用い説明を省略する。データ保存許可手段１２とキャンセル手段１３は、前記データ保存手段１１内に構成されるている。
【００２９】
以上のように構成された遠隔制御装置１について、以下その動作、作用を説明する。
【００３０】
データ保存許可手段１２が選択されると、前回保存されたデータの下段に追加保存し、キャンセル設定手段１３が選択されるとデータを保存せず前記メモ入力手段９を未表示にする。これによりデータ追加時にファイルの数を増やさなくて済み、データ保存エリアの節約とファイル管理の効率向上ができる。
【図面の簡単な説明】
【００３１】
【図１】本発明の実施の形態１における遠隔制御装置のブロック図
【図２】本発明の実施の形態２における遠隔制御装置のブロック図
【図３】本発明の実施の形態２における遠隔制御装置のブロック図
【図４】本発明の実施の形態２における遠隔制御装置のブロック図
【図５】本発明の実施の形態２における遠隔制御装置のブロック図
【図６】従来の遠隔制御装置のブロック図
【符号の説明】
【００３２】
１  遠隔制御装置
２  機器登録手段
３  グループ登録手段
４  エリア名登録手段
５  第１表示手段
６  第２表示手段
７  入力手段
８  機器制御手段
９  メモ入力手段
１０  内容表示手段
１１  データ保存手段
１２  データ保存許可手段
１３  キャンセル手段
【図１】
2005063263.tif 000003
【図２】
2005063263.tif 000004
【図３】
2005063263.tif 000005
【図４】
2005063263.tif 000006
【図５】
2005063263.tif 000007
【図６】
2005063263.tif 000008